(57)【要約】      （修正有）【課題】建築物の施工中に鍵の紛失や複製されるリスクをなくすために、本設の扉に本設の鍵が付いた状態で客先へ引き渡す鍵を使用して施錠管理することがなく、本設の鍵を使わずに施錠管理する手法を提供する。【解決手段】両端に輪を形成したワイヤー１の一方の端３１を配線室内構造物５に係止し、他方の端３２を配線室内側のドアノブ６に南京錠７で施錠する引渡し前の配線室施錠管理方法であり、ワイヤー１は施錠状態において、配線室のドア４を室外側から開いたときに室内側の南京錠７にアクセスできる隙間であって、人が入室できない間隔の隙間となる長さを備えている。【選択図】図２
2017137645.tif 000002
【特許請求の範囲】
【請求項１】
両端に輪を形成したワイヤーの一方の端を配線室内構造物に係止し、他方の端を配線室内側のドアノブに南京錠で施錠する引渡し前の配線室施錠管理方法。
【請求項２】
ワイヤーは施錠状態において、配線室のドアを室外側から開いたときに室内側の南京錠にアクセスできる隙間であって、人が入室できない間隔の隙間となる長さを備えていることを特徴とする請求項１記載の配線室施錠管理方法。
【請求項３】
請求項１又は請求項２に記載された配線室施錠管理方法に使用するワイヤーであって、両端に輪体が形成された、施錠状態でドアを開けた場合に南京錠にアクセスでき、人が入室できない間隔が形成できる長さを備えた配線用施錠用ワイヤー。
【発明の詳細な説明】
【技術分野】
【０００１】
本発明は、ワイヤーと南京錠を使い、本設の扉に本設の鍵が付いた状態でも鍵を使わずに施錠管理に関する。
【背景技術】
【０００２】
建築物においてケーブル・配管配線などの電気設備幹線をたてに集中して通すために区画したスペースを電気パイプシャフト（Ｅｌｅｃｔｒｉｃ  Ｐｉｐｅ  Ｓｈａｆｔ  略称：EPSという）といい、配線室とも言う。EPSにはケーブル・配管配線を通し、分電盤、端子盤等が設置されている。
従来は、建築物を施工中に本受電した後は、EPSの感電災害を防止するため、本設の扉を本設の鍵で施錠管理する。
本設の鍵で施錠を行う場合、客先へ引き渡す鍵を使用して施錠管理することになり、EPSの場合、受電後に立入りする電気工事業者に貸し出しをすることになる。
慎重に管理しても紛失や複製されるリスクは残る。
借用書や誓約書を交わしても、そのリスクが残る。鍵の貸し出しをせず、全て元請業者が管理するのも方法の1つではあるが、時短の観点からすると非効率的であり紛失に対するリスクは依然としてある。
それに代えて仮錠も用いる方法もあるが、大規模現場になると数量が多くなるため、仮錠費用が発生する。
【先行技術文献】
【特許文献】
【０００３】
【特許文献１】実公昭54-２４９５８号公報
【発明の概要】
【発明が解決しようとする課題】
【０００４】
本発明は、本設の扉に本設の鍵が付いた状態でも鍵を使わずに施錠管理する手法を開発することを課題とする。
【課題を解決するための手段】
【０００５】
請求項１に記載の発明は、両端に輪を形成したワイヤーの一方の端を配線室内構造物に係止し、他方の端を配線室内側のドアノブに南京錠で施錠する引渡し前の配線室施錠管理方法である。
【０００６】
請求項２に記載の発明は、ワイヤーは施錠状態において、配線室のドアを室外側から開いたときに室内側の南京錠にアクセスできる隙間であって、人が入室できない間隔の隙間となる長さを備えていることを特徴とする請求項１記載の配線室施錠管理方法である。
【０００７】
請求項３に記載の発明は、請求項１又は請求項２に記載された配線室施錠管理方法に使用するワイヤーであって、両端に輪体が形成された、施錠状態でドアを開けた場合に南京錠にアクセスでき、人が入室できない間隔が形成できる長さを備えた配線用施錠用ワイヤーである。
【発明の効果】
【０００８】
本発明は、両端に輪を形成したワイヤーと南京錠を用いることにより、本設鍵を使用せずに施錠管理を実現した。
また、扉に仮設鍵を設けるよりコスト面でもメリットがあり、本設の鍵の貸し出しによる管理の手間も軽減されることで、時短に寄与する。
また、本設の鍵を未使用状態で施主へ引き渡すことができるので、施主の安全性が向上する。
【図面の簡単な説明】
【０００９】
【図１】ワイヤー姿図（ａ）および南京錠（ｂ）
【図２】EPS内側から見た立面図
【図３】EPS外側からみた施錠状態の斜視図
【図４】EPS外側からみた開閉扉全体の施錠状態の斜視図
【図５】ＥＰＳの施錠状態の平面図
【発明を実施するための形態】
【００１０】
図１に本実施態様に使用する材具を示す。
両端に輪部３を形成したワイヤー１と南京錠７である。
ワイヤー１は、所定の長さ（例えば、３００ｍｍ程度）を有し、両端を内側に曲げて根本をアルミスリーブなどの金具２で固定した楕円状の輪部３を両端に設けている。
南京錠は、一般的に使用されているものを使用する。
【００１１】
図２は、施錠状態をEPS室内側から示している。
床上や躯体天井から扉枠を固定して、扉枠と開閉扉４を蝶番で固定している。
開閉扉４の開閉扉内面４１の概ね右側で真ん中よりやや高い位置に本設の鍵８を設けて、その下方にドアノブ６を設けている。
EPSは内側の壁ボードを貼らない場合が多いため、壁用の軽量鉄骨（Light gauge steel：略してLGS）が現れていることが多い。
この軽量鉄骨の小さな開口に前記ワイヤー１の一端を係止、あるいはEPS内から見て外開き開閉扉４の開閉扉内側内面４１の鋼板の鋼製枠の突起物などの固定物５に前記ワイヤー１の一端を係止する。
係止方法は、ワイヤー１を固定物５などに巻いて一端の輪部３１を通過させ、外れないようにする。
ワイヤー１の他端の輪部３２を前記開閉扉４のドアノブ６に南京錠７で施錠する。EPSのドアノブ６は、リング状になっているので、ワイヤー１の輪部３２とドアノブ６のリングを南京錠７で連結することができる。
なお、開閉扉４の本設鍵８は施錠せず、常に鍵８は開錠しておく。
【００１２】
図３は、施錠状態の拡大図を示す。
床上や躯体天井から扉枠を固定して、扉枠と開閉扉４を蝶番で固定することで、開閉可能として、開閉扉４を人間が侵入できない程度に、ワイヤー１の一端の輪部３１をEPS内の固定物５に巻き、ワイヤー１の他端３２を開閉扉内面４１に設けているドアノブ６に南京錠７によって、固定している。
EPSの外側から開閉扉４を引いて開けてみると、EPS内の固定物５にワイヤー１の一端の輪部３１を巻いて、一方のワイヤー１の他端の輪部３２を開閉扉内面４１に設けているドアノブ６に南京錠７によってワイヤー１が手の入る程度の開き具合に緊張されて固定されているので、人間が侵入できない状態である。
EPS内に入室するには、開閉扉４を途中まで開いた状態において、手動で南京錠７を開錠して、ワイヤー１とドアノブ６との連結を外して、開閉扉４を全開して、EPS内に入室することができる。
さらにEPS内から退室して施錠する場合は、再度、ワイヤー１の一端の輪部３１に固定物５を巻いて、外れないようにして、退出して、ワイヤー１の他端３２を開閉扉４のドアノブ６に南京錠７で施錠して、開閉扉４を閉める。
【００１３】
図４は、施錠状態における扉の開状況を示している。図５は、その平面図である。
床上や躯体天井から扉枠を固定して、扉枠と開閉扉４を蝶番で固定することで、開閉可能として、EPS外から開閉扉４の開閉扉外面４２の左側の略中央上部に設けられたドアノブ６を開いて人間が侵入できないが手を入れて南京錠７操作できる程度の隙間Sが形成される。ワイヤー１の一端の輪部３１をEPS内の固定物５に巻き、ワイヤー１の他端３２を開閉扉内面４１に設けているドアノブ６に南京錠７によって、固定している。
この開閉扉４の隙間Sは、ワイヤー１の長さを調整して、人間がEPS内に侵入できない程度の隙間Sにすることで、引渡し前のEPSを実質的に施錠したような状態にしている。
【符号の説明】
【００１４】
１     ワイヤー
２    金具
３１  ワイヤーの一端の輪部
３２  ワイヤーの他端の輪部
４    開閉扉
４１  開閉扉内面
４２  開閉扉外面
５    固定物
６    ドアノブ
７    南京錠
【図１】
2017137645.tif 000003
【図２】
2017137645.tif 000004
【図３】
2017137645.tif 000005
【図４】
2017137645.tif 000006
【図５】
2017137645.tif 000007